(57)【特許請求の範囲】
【請求項１】
エルボ状の内管とエルボ状の鞘管とを備える基礎貫通用継手を用いて、建物の立上り基礎を貫通する排水管を施工する管路施工方法であって、
前記内管は、前記鞘管内に配管される前記排水管を構成する可撓性を有さない硬質管であって、エルボ部と、前記エルボ部の下流側に設けられ、前記立上り基礎の厚みよりも大きい軸方向長さを有する横管部とを備え、前記エルボ部と前記横管部とが当該内管を前記鞘管内に差し入れる前に接合されて一体化されているものであり、
前記鞘管は、横向きに開口する横開口部と上向きに開口する上開口部とを備え、前記上開口部が前記エルボ部と前記横管部とが一体化された状態の前記内管を抜き差し可能な大きさを有しているものであり、
（ａ）ボイド孔を有する前記立上り基礎を打設するステップ、
（ｂ）前記基礎貫通用継手を用意するステップ、
（ｃ）前記ボイド孔に対して前記横開口部を嵌め込んで前記鞘管を設置するステップ、
（ｄ）前記上開口部の周囲を覆うように土間コンクリートを打設し、前記鞘管を埋設固定するステップ、および
（ｅ）前記鞘管および前記ボイド孔に前記排水管を挿通して設置するステップを含み、
前記ステップ（ｅ）では、前記エルボ部と前記横管部とが一体化された状態の前記内管を前記上開口部から前記鞘管内に挿入して、前記横管部と屋外側配管とを連結する、管路施工方法。
【請求項２】
前記ステップ（ｂ）において、前記横開口部の外周面に形成されるストッパを有する前記鞘管を含む前記基礎貫通用継手を用意し、
前記ステップ（ｃ）において、前記ボイド孔の縁に前記ストッパが当接する位置まで前記横開口部を嵌め込むことによって、前記鞘管を位置決めする、請求項１記載の管路施工方法。
【請求項３】
エルボ状の内管とエルボ状の鞘管とを備え、建物の立上り基礎を貫通する排水管の施工に用いられる基礎貫通用継手であって、
前記内管は、
前記鞘管内に配管される前記排水管を構成する可撓性を有さない硬質管であって、
エルボ部、および
前記エルボ部の下流側に設けられ、前記立上り基礎の厚みよりも大きい軸方向長さを有する横管部を備え、
前記鞘管は、
横向きに開口し、前記立上り基礎に形成されたボイド孔に嵌め込まれる横開口部、
前記横開口部の上流側に設けられ、当該横開口部の基端部から上向きに湾曲する湾曲部、
前記湾曲部の上流側に設けられて上向きに開口する上開口部、および
前記横開口部の外周面に形成されるストッパを備え、
前記エルボ部と前記横管部とは、前記内管を前記鞘管内に差し入れる前に接合されて一体化されており、
前記上開口部は、前記エルボ部と前記横管部とが一体化された状態の前記内管を抜き差し可能な大きさを有する、基礎貫通用継手。
【請求項４】
前記鞘管の下面に設けられ、土面上に載置するための脚部をさらに備える、請求項３記載の基礎貫通用継手。
【請求項５】
前記ストッパの基礎当接面から前記横開口部の先端までの長さは、前記立上り基礎の厚みよりも小さい、請求項３または４記載の基礎貫通用継手。
【請求項６】
前記ストッパは、前記横開口部の周方向全長に亘って前記基礎当接面を有する、請求項３ないし５のいずれかに記載の基礎貫通用継手。
【発明の詳細な説明】
【技術分野】
【０００１】
この発明は、管路施工方法およびそれに用いる基礎貫通用継手に関し、特にたとえば、建物の立上り基礎を貫通する排水管を施工する、新規な管路施工方法およびそれに用いる基礎貫通用継手に関する。
【背景技術】
【０００２】
従来、建物の布基礎を貫通する排水管を施工する際には、布基礎の打設時にその立上り部（立上り基礎）にボイド孔を形成しておき、そのボイド孔を利用して排水管を施工することが一般的に行われている。また、近年では、立上り基礎で囲まれた土面上には、防湿等のために土間コンクリートを打設することが一般的であり、排水管は、この土間コンクリートおよび埋め戻し用の土等によって埋設固定された状態にされる。このため、老朽化等の理由により排水管を更新する場合には、土間コンクリートを破壊する必要が生じ、排水管の更新に大きな手間およびコストがかかるという問題が生じている。
【０００３】
一方、建物のべた基礎に適用される技術として、鞘管を用いてべた基礎を貫通する貫通路を形成し、そこに排水管を施工する鞘管工法が公知である。たとえば特許文献１には、従来の基礎貫通配管構造の一例が開示されている。
【０００４】
特許文献１の技術では、べた基礎を打設するためのコンクリート型枠内に配筋を設け、その配筋の間を通すように鞘管および長さ調整用ボイド管を設置する。その後、コンクリート型枠内にべた基礎を打設して、鞘管および長さ調整用ボイド管をべた基礎内に埋設固定することによって、べた基礎を貫通する貫通路を形成する。この鞘管の縦鞘管部は、９０°エルボ継手（内管）を挿入できる大きさに形成されており、この縦鞘管部の下部には、破壊、切断または分離できるようにした９０°エルボ継手が収容される。そして、この９０°エルボ継手の上流側接続口には、屋内側の縦排水管が接着接合されると共に、下流側接続口には、屋外側の横排水管が接着接合される。
【０００５】
また、特許文献１の技術では、排水管の更新は、９０°エルボ継手を湾曲部で破壊等した後、上流側の縦排水管を縦鞘管部側の開口から引き抜き、下流側の横排水管を長さ調整用ボイド管側の開口から引き抜くことで行われる。これによって、べた基礎を破壊することなく、排水管が更新される。
【先行技術文献】
【特許文献】
【０００６】
【特許文献１】特開２００９−１０２９２９号公報
【発明の概要】
【発明が解決しようとする課題】
【０００７】
しかしながら、特許文献１の技術は、べた基礎用に提案された技術であり、立上り基礎を厚み方向に貫通するように排水管を施工する布基礎に適した技術には必ずしもなっていない。
【０００８】
また、特許文献１の技術では、べた基礎を打設して鞘管を埋設固定する際に、配筋間の所定位置に鞘管を予め仮固定して設置しておく必要があるが、鞘管が傾かないように適切に仮固定しておくことが難しい。
【０００９】
それゆえに、この発明の主たる目的は、新規な、管路施工方法およびそれに用いる基礎貫通用継手を提供することである。
【００１０】
この発明の他の目的は、立上り基礎を貫通する排水管を施工するのに適した、管路施工方法およびそれに用いる基礎貫通用継手を提供することである。
【００１１】
この発明のさらに他の目的は、鞘管を適切に仮固定できる、管路施工方法およびそれに用いる基礎貫通用継手を提供することである。
【課題を解決するための手段】
【００１２】
第１の発明は、エルボ状の内管とエルボ状の鞘管とを備える基礎貫通用継手を用いて、建物の立上り基礎を貫通する排水管を施工する管路施工方法であって、内管は、鞘管内に配管される排水管を構成する可撓性を有さない硬質管であって、エルボ部と、エルボ部の下流側に設けられ、立上り基礎の厚みよりも大きい軸方向長さを有する横管部とを備え、エルボ部と横管部とが当該内管を鞘管内に差し入れる前に接合されて一体化されているものであり、鞘管は、横向きに開口する横開口部と上向きに開口する上開口部とを備え、上開口部がエルボ部と横管部とが一体化された状態の内管を抜き差し可能な大きさを有しているものであり、（ａ）ボイド孔を有する立上り基礎を打設するステップ、（ｂ）基礎貫通用継手を用意するステップ、（ｃ）ボイド孔に対して横開口部を嵌め込んで鞘管を設置するステップ、（ｄ）上開口部の周囲を覆うように土間コンクリートを打設し、鞘管を埋設固定するステップ、および（ｅ）鞘管およびボイド孔に排水管を挿通して設置するステップを含み、ステップ（ｅ）では、エルボ部と横管部とが一体化された状態の内管を上開口部から鞘管内に挿入して、横管部と屋外側配管とを連結する、管路施工方法である。
【００１３】
第１の発明では、先ず、ステップ(ａ)において、ボイド孔を有する立上り基礎を打設する。また、ステップ(ｂ)では、基礎貫通用継手を用意しておく。この基礎貫通用継手は、エルボ状の内管とエルボ状の鞘管とを備える。ここで、内管は、鞘管内に配管される排水管を構成する可撓性を有さない硬質管であって、エルボ部と、エルボ部の下流側に設けられ、立上り基礎の厚みよりも大きい軸方向長さを有する横管部とを備え、エルボ部と横管部とが当該内管を鞘管内に差し入れる前に接合されて一体化されているものである。また、鞘管は、横向きに開口する横開口部と上向きに開口する上開口部とを備え、上開口部がエルボ部と横管部とが一体化された状態の内管を抜き差し可能な大きさを有しているものである。そして、ステップ(ｃ)において、ステップ(ａ)で打設した立上り基礎のボイド孔に対して、ステップ(ｂ)で用意した鞘管の横開口部を屋内側から嵌め込み、鞘管を設置する。ボイド孔に鞘管の横開口部を嵌め込むことで、鞘管の動きが規制されて、鞘管が安定的に仮固定される。その後、ステップ(ｄ)において、鞘管の上開口部の周囲を覆うように土間コンクリートを打設して、鞘管を埋設固定する。これによって、立上り基礎の屋外側の側面から土間コンクリートの上面まで延びる貫通路が形成される。最後に、ステップ(ｅ)において、ステップ(ｄ)で形成された貫通路（鞘管およびボイド孔）内に排水管を挿通して設置する。この際には、エルボ部と横管部とが一体化された状態の内管を上開口部から鞘管内に挿入して、横管部と屋外側配管とを連結する。
【００１４】
第１の発明によれば、ボイド孔を有する立上り基礎を打設した後に鞘管を埋設固定するという、従来のべた基礎用の鞘管工法とは全く異なる、立上り基礎を貫通する排水管を施工するのに適した新規な管路施工方法が提供される。
【００１５】
また、第１の発明によれば、鞘管を設置する際には、立上り基礎のボイド孔に鞘管の横開口部を嵌め込むので、鞘管を安定的に仮固定できる。したがって、鞘管の設置が容易となり、延いては立上り基礎を貫通する排水管の施工が容易となる。
さらに、第１の発明によれば、鞘管内に挿通されるエルボ状の内管は、立上り基礎の厚みよりも大きい軸方向長さを有する横管部を備えており、鞘管の上開口部の大きさは、このエルボ状の内管を分割等することなくそのまま抜き差し可能な大きさとされる。このため、排水管を施工する際には、内管と屋内側配管および屋外側配管との接続を含む排水管の接続作業を全て、鞘管の外部で行うことが可能となる。また、排水管を更新する際には、排水管の切断作業を全て、鞘管の外部で行うことが可能であり、鞘管内に残る排水管も上開口部から容易に抜き取ることができる。したがって、排水管の接続作業を容易かつ適切に実行でき、配管時の施工性に優れる。また、排水管の更新も容易となる。
【００１６】
第２の発明は、第１の発明に従属し、ステップ（ｂ）において、横開口部の外周面に形成されるストッパを有する鞘管を含む基礎貫通用継手を用意し、ステップ（ｃ）において、ボイド孔の縁にストッパが当接する位置まで横開口部を嵌め込むことによって、鞘管を位置決めする。
【００１７】
第２の発明では、ステップ(ｂ)で用意する基礎貫通用継手の鞘管は、横開口部の外周面に形成されるストッパを有するものである。そして、ステップ(ｃ)で立上り基礎のボイド孔に対して鞘管の横開口部を嵌め込む際には、ボイド孔の縁にストッパが当接する位置まで横開口部を嵌め込むことによって、鞘管を位置決めする。
【００１８】
第２の発明によれば、ボイド孔の縁とストッパとを当接させることで、鞘管を容易に位置決めすることができる。
【００１９】
第３の発明は、エルボ状の内管とエルボ状の鞘管とを備え、建物の立上り基礎を貫通する排水管の施工に用いられる基礎貫通用継手であって、内管は、鞘管内に配管される排水管を構成する可撓性を有さない硬質管であって、エルボ部、およびエルボ部の下流側に設けられ、立上り基礎の厚みよりも大きい軸方向長さを有する横管部を備え、鞘管は、横向きに開口し、立上り基礎に形成されたボイド孔に嵌め込まれる横開口部、横開口部の上流側に設けられ、当該横開口部の基端部から上向きに湾曲する湾曲部、湾曲部の上流側に設けられて上向きに開口する上開口部、および横開口部の外周面に形成されるストッパを備え、エルボ部と横管部とは、内管を鞘管内に差し入れる前に接合されて一体化されており、上開口部は、エルボ部と横管部とが一体化された状態の内管を抜き差し可能な大きさを有する、基礎貫通用継手である。
【００２０】
第３の発明では、基礎貫通用継手は、エルボ状の内管とエルボ状の鞘管とを含み、建物の立上り基礎を貫通する排水管の施工に用いられる。内管は、鞘管内に配管される排水管を構成する可撓性を有さない硬質管であって、エルボ部と、エルボ部の下流側に設けられ、立上り基礎の厚みよりも大きい軸方向長さを有する横管部とを備える。一方、鞘管は、横向きに開口する横開口部と、横開口部の基端部から上向きに湾曲する湾曲部と、上向きに開口する上開口部とを備える。また、横開口部の外周面には、ストッパが形成される。また、内管のエルボ部と横管部とは、内管を鞘管内に差し入れる前に接合されて一体化されており、鞘管の上開口部は、エルボ部と横管部とが一体化された状態の内管を抜き差し可能な大きさを有する。立上り基礎を貫通する排水管の施工時において、鞘管を設置する際には、ボイド孔の縁と鞘管のストッパとが当接するまで、横開口部がボイド孔に嵌め込まれる。
【００２１】
第３の発明によれば、ボイド孔の縁とストッパとを当接させることで、鞘管を容易に位置決めすることができる。
また、第３の発明によれば、鞘管内に挿通されるエルボ状の内管は、立上り基礎の厚みよりも大きい軸方向長さを有する横管部を備えており、鞘管の上開口部の大きさは、このエルボ状の内管を分割等することなくそのまま抜き差し可能な大きさとされる。このため、排水管を施工する際には、内管と屋内側配管および屋外側配管との接続を含む排水管の接続作業を全て、鞘管の外部で行うことが可能となる。また、排水管を更新する際には、排水管の切断作業を全て、鞘管の外部で行うことが可能であり、鞘管内に残る排水管も上開口部から容易に抜き取ることができる。したがって、排水管の接続作業を容易かつ適切に実行でき、配管時の施工性に優れる。また、排水管の更新も容易となる。
【００２２】
第４の発明は、第３の発明に従属し、鞘管の下面に設けられ、土面上に載置するための脚部をさらに備える。
【００２３】
第４の発明では、鞘管の下面には、脚部が設けられる。脚部は、鞘管を設置する際に、土面上に載置されることによって鞘管を支持して、鞘管の転倒を防止する。したがって、より安定的に鞘管を仮固定できる。
【００２４】
第５の発明は、第３または第４の発明に従属し、ストッパの基礎当接面から横開口部の先端までの長さは、立上り基礎の厚みよりも小さい。
【００２５】
第５の発明では、ストッパの基礎当接面から横開口部の先端までの長さは、立上り基礎の厚みよりも小さく設定される。すなわち、鞘管の横開口部は、ボイド孔の軸方向全長に亘って嵌め込まれのではなく、ボイド孔の屋内側部分にのみ嵌め込まれる。
【００２６】
第５の発明によれば、鞘管の小型化を図ることができ、部材コストを低減できる。
【００２７】
第６の発明は、第３ないし第５のいずれかの発明に従属し、ストッパは、横開口部の周方向全長に亘って基礎当接面を有する。
【００２８】
第６の発明では、ストッパは、横開口部の周方向全長に亘って基礎当接面を有する。つまり、ストッパの基礎当接面は、ボイド孔の縁の周方向全長に当接される。
【００２９】
第６の発明によれば、土間コンクリートを打設する際に、埋め戻し用の土または生コンクリートが、横開口部の外周面とボイド孔の内周面との間の隙間に侵入（流出）することが防止される。
【発明の効果】
【００３３】
この発明によれば、ボイド孔を有する立上り基礎を打設した後に鞘管を埋設固定するという、従来のべた基礎用の鞘管工法とは全く異なる、立上り基礎を貫通する排水管を施工するのに適した新規な管路施工方法が提供される。
【００３４】
また、この発明によれば、鞘管を設置する際には、立上り基礎のボイド孔に鞘管の横開口部を嵌め込むので、鞘管を安定的に仮固定できる。したがって、鞘管の設置が容易となり、延いては立上り基礎を貫通する排水管の施工が容易となる。
【００３５】
この発明の上述の目的，その他の目的，特徴および利点は、図面を参照して行う以下の実施例の詳細な説明から一層明らかとなろう。
【図面の簡単な説明】
【００３６】
【図１】この発明の一実施例の基礎貫通用継手を用いて建物の立上り基礎を貫通する排水管を施工した様子を示す図解図である。
【図２】図１の基礎貫通用継手を示す斜視図である。
【図３】図１の基礎貫通用継手が備える内管を示す図解図であって、(Ａ)は斜視図であり、(Ｂ)は断面図である。
【図４】図１の基礎貫通用継手が備える鞘管を示す図解図であって、(Ａ)は斜視図であり、(Ｂ)は断面図である。
【図５】図４の鞘管を示す図解図であって、(Ａ)は正面図であり、(Ｂ)は平面図であり、(Ｃ)は横開口部側を示す側面図である。
【図６】図４の鞘管の横開口部の要部を拡大して示す断面図である。
【図７】図１の基礎貫通用継手を用いて立上り基礎を貫通する排水管を施工する管路施工方法を示す図解図であり、(Ａ)は布基礎を打設した様子を示し、(Ｂ)は鞘管を埋設固定した様子を示し、(Ｃ)は鞘管内に内管を差し入れるときの様子を示す。
【図８】図７の施工工程の続きを示す図解図であり、(Ｄ)は内管の横管部に屋外側配管を接続するときの様子を示し、(Ｅ)は内管の横管部に屋外側配管を接続した様子を示し、(Ｆ)は内管を移動させてその配置位置を調整した様子を示す。
【図９】図１の基礎貫通用継手を用いて施工された排水管を更新する管路更新方法を示す図解図であり、(Ａ)は屋内側で排水管を切断するときの様子を示し、(Ｂ)は屋外側で排水管を切断するときの様子を示し、(Ｃ)は鞘管内から内管を取り出すときの様子を示す。
【図１０】この発明の他の実施例の基礎貫通用継手が備える鞘管を示す図解図であって、(Ａ)は斜視図であり、(Ｂ)は正面図である。
【図１１】この発明のさらに他の実施例の基礎貫通用継手が備える鞘管を示す図解図であって、(Ａ)は斜視図であり、(Ｂ)は横開口部側を示す側面図である。
【発明を実施するための形態】
【００３７】
図１および図２を参照して、この発明の一実施例である基礎貫通用継手（以下、単に「継手」という。）１０は、建物の布基礎１００の立上り基礎（立上り部）１０２を貫通する排水管を施工するために用いられる。この継手１０は、内管１２と鞘管１４とを備える二重管構造を有している。鞘管１４は、布基礎１００の屋外側と屋内側とを連通する貫通路、つまり立上り基礎１０２の屋外側の側面から土間コンクリート１２４の上面まで延びる貫通路の一部を構成する。また、内管１２は、排水管の一部を構成する管であって、鞘管１４（貫通路）内に挿通されて、屋内側配管１１０と屋外側配管１１２とを連結する。
【００３８】
布基礎１００は、立上り基礎１０２とその下端に設けられるフーチング１０４とを備え、逆Ｔ字形の断面形状を有する。また、立上り基礎１０２には、布基礎１００の打設時においてボイド孔１０６が予め形成される。ボイド孔１０６は、排水管の外径よりも若干大きく、鞘管１４の横開口部３０の外径と略同じ大きさの内径を有する断面円形の貫通孔であって、二重管継手１０の鞘管１４と共に上記貫通路を構成する。
【００３９】
なお、立上り基礎１０２の厚みは、一般的には１５０〜１７０ｍｍに設定されるが、この実施例では、最も厚い部類に入る１９５ｍｍを想定している。また、施工する排水管は、内径１００ｍｍの合成樹脂管を想定している。後述する継手１０の各部の寸法は、これらに合わせて設定された寸法である。
【００４０】
先ず、継手１０の構成について具体的に説明する。継手１０は、上述のように、内管１２と鞘管１４とを備える。
【００４１】
図３に示すように、内管１２は、可撓性を有さないエルボ状の硬質管であって、硬質塩化ビニル等の合成樹脂によって形成される。内管１２は、エルボ部２０とその下流側に設けられる横管部２２とを備え、横方向に長い略Ｌ字状に形成される。エルボ部２０は、その一端から他端にかけて９０°の角度で湾曲する曲管状の部分である。また、横管部２２は、エルボ部２０の下流側端部から横方向に延びる直管状の部分である。この実施例では、両端部に受口を有する汎用の９０°エルボの下流側受口に対して、汎用の直管（プレーン管）を接着接合することによって、内管１２が形成される。すなわち、内管１２の上流側端部（曲管部２０側の先端部）には、屋内側配管１１０と接続される受口２４が上向きに形成され、内管１２の下流側端部（横管部２２側の先端部）には、屋外側配管１１２と接続される差口２６が横向きに形成される。
【００４２】
横管部２２の軸方向長さＬ１は、立上り基礎１０２の厚みよりも大きく設定され、後述のように、排水管を施工する際、鞘管１４内で内管１２を立上り基礎１０２側に寄せたときに、横管部２２の先端部分（差口２６）が立上り基礎１０２から屋外に突出する長さとされる（図８(Ｄ)参照）。具体的には、横管部２２の軸方向長さＬ１は、たとえば３００ｍｍであり、横管部２２の先端部分が立上り基礎１０２から屋外に突出する長さは、横管部２２の先端部分に対する屋外側配管１１２の接続作業が可能なように、たとえば５０ｍｍとされる。
【００４３】
また、横管部２２の軸方向における内管１２の全体長さＬ２は、たとえば４２４ｍｍである。また、エルボ部２０の外径、つまり横管部２２の軸方向と直交する方向における内管１２の最大幅は、たとえば１２５ｍｍである。
【００４４】
なお、この実施例では、鞘管１４内に内管１２を挿通（配置）したとき、内管１２のエルボ部２０の端面が、後述する鞘管１４の上開口部３４の端面３４ａよりも少し下方に位置するように内管１２を形成している（図２参照）。しかし、これに限定されることはなく、エルボ部２０の端面と上開口部３４の端面３４ａとは面一になっていてもよいし、内管１２のエルボ部２０の端面が上開口部３４の端面３４ａよりも上方に位置していてもよい。つまり、鞘管１４に対するエルボ部２０の上流側端部（受口２４）の配置位置は、適宜変更可能である。
【００４５】
図４および図５に示すように、鞘管１４は、硬質塩化ビニルおよびポリエチレンなどの合成樹脂によって形成される。鞘管１４は、横開口部３０、湾曲部３２および上開口部３４を備え、全体として９０°エルボ状に形成される。横開口部３０は、横方向に延びる断面円形の短直管状に形成され、横向きに開口する。横開口部３０の内径は、たとえば１１９ｍｍであり、その外径は、たとえば１２４ｍｍである。湾曲部３２は、横管部３０の上流側に設けられ、横管部３０の基端部３０ａから連続して上向きに湾曲する筒状に形成される。また、上開口部３４は、湾曲部３２の上流側に設けられ、上下方向に延びる短直管状に形成されて、上向きに開口する。
【００４６】
上開口部３４は、横開口部３０の軸方向において対向配置される半円筒状の側壁と、横開口部３０の軸方向と直交する方向において対向配置される平板状の側壁とを有し、小判形状（角丸長方形状）に開口する。この上開口部３４の大きさ（開口面積）は、上述のような長い横管部２２を有する内管１２を、分割等することなくそのまま抜き差し可能な大きさに設定される。ただし、上開口部３４の大きさは、部材コストや後述する土間コンクリート１２４の見た目などを考慮すると、なるべく小さくすることが好ましい。
【００４７】
そこで、この実施例では、横開口部３０の軸方向における上開口部３４の内径Ｒ１は、鞘管１４内に内管１２を差し入れる際において、内管１２の横管部２２の先端が横開口部３０の基端部３０ａ（湾曲部３２から横開口部３０への移行部分）に達したときに、内管１２のエルボ部２０の後端側部分２８が上開口部３４の端面３４ａにぎりぎり当たらない程度の大きさに設定される（図７(Ｃ)参照）。これにより、上開口部３４の大きさを抑えつつ、内管１２を上開口部３４からそのまま抜き差しできる。また、鞘管１４内に内管１２を配置した際には、内管１２は、横管部２２の軸方向に沿って移動可能となる。つまり、排水管の配管可動域が存在するようになる。上開口部３４の内径Ｒ１は、たとえば３５５ｍｍである。
【００４８】
また、横開口部３０の軸方向と直交する方向における上開口部３４の内径Ｒ２は、内管１２のエルボ部２０の外径と同じまたは略同じ大きさに設定される。これにより、上開口部３４の大きさが抑えられる。また、鞘管１４内に内管１２を挿通した際には、内管１２は、鞘管１４の平板状の側壁に支えられて、横開口部３０の軸方向と直交する方向に倒れ難くなる。上開口部３４の内径Ｒ２は、たとえば１２５ｍｍである。
【００４９】
また、湾曲部３２の外面には、脚部３６が設けられる。脚部３６は、矩形板状に形成され、湾曲部３２の下面から横開口部３０の軸方向と直交する方向に突出する。脚部３６は、鞘管１４を設置する際には、直接または防湿シート１２２を介して土面上に載置されることによって鞘管１４を支持し、鞘管１４の転倒を防止する。また、土間コンクリート１２４を打設する際には、生コンクリートの浮力による鞘管１４の浮きを防止する。このような脚部３６を備えることによって、後述のように鞘管１４を埋設固定する際に、鞘管１４をより安定的に仮固定できる。
【００５０】
さらに、図６からよく分かるように、横開口部３０の外周面には、鍔状のストッパ３８が設けられる。ストッパ３８は、横開口部３０の外周面から段差状に突き出す突起であって、横開口部３０の周方向全長に亘って延びる。このストッパ３８は、ボイド孔１０６の縁に当接される基礎当接面３８ａを有する。後述のように、横開口部３０をボイド孔１０６に嵌め込んで鞘管１４を設置する際には、ボイド孔１０６の縁と基礎当接面３８ａとが当接することによって、鞘管１４が位置決めされる。また、基礎当接面３８ａをボイド孔１０６の縁の周方向全長に当接させることによって、土間コンクリート１２４を打設する際に、埋め戻し用の土または生コンクリートが、横開口部３０外周面とボイド孔１０６内周面との間の隙間に侵入（流出）することが防止される。
【００５１】
また、基礎当接面３８ａから横開口部３０の先端までの長さは、立上り基礎１０２の厚み、つまりボイド孔１０６の軸方向長さよりも小さく設定され、たとえば３０ｍｍに設定される。すなわち、鞘管１４の横開口部３０は、ボイド孔１０６の軸方向全長に亘って嵌め込まれるわけではない。これによって、鞘管１４の小型化を図ることができ、部材コストを低減できる。ただし、基礎当接面３８ａから横開口部３０の先端までの長さは、立上り基礎１０２の厚みと同じ、或いはそれより大きく設定することも可能である。
【００５２】
続いて、図７および図８を参照して、継手１０を用いて建物の立上り基礎１０２を貫通する排水管を施工する管路施工方法の一例について説明する。
【００５３】
この管路施工方法では、先ず、図７(Ａ)に示すように、布基礎１００（立上り基礎１０２およびフーチング１０４）を打設する。具体的には、布基礎１００を打設するための基礎型枠を形成し、基礎型枠内に鉄筋を配置する。また、排水管の配管位置には、立上り基礎１０２の下部を厚み方向に貫通するように、円筒状のボイド管を配置しておく。そして、基礎型枠内に生コンクリートを流し込み、所定時間養生してコンクリートが固化した後、基礎型枠およびボイド管を除去する。これによって、ボイド孔１０６を有する立上り基礎１０２とフーチング１０４とを備える布基礎１００が打設される。ただし、ボイド管は、立上り基礎１０２に埋め殺しされるものであってもよい。また、ボイド孔１０６の屋内側には、鞘管１４を設置するための空間を設けると共に、屋内側の土１２０の上には、防湿シート１２２を設置しておく。なお、防湿シート１２２は、鞘管１４を載置する部分を切り欠いておくこともできる。
【００５４】
布基礎１００を打設すると、次に、図７(Ｂ)に示すように、ボイド孔１０６の屋内側端部に鞘管１４の横開口部３０を嵌め込んで、鞘管１４を設置する。この際には、鞘管１４の脚部３６が直接または防湿シート１２２を介して土面上に載置されると共に、ボイド孔１０６の縁と鞘管１４のストッパ３８の基礎当接面３８ａとが当接するまで横開口部３０がボイド孔１０６に嵌め込まれる。ボイド孔１０６に横開口部３０を嵌め込むことで、鞘管１４の動きが規制され、鞘管１４が安定的に仮固定される。また、脚部３６が土面上に載置されることで、横開口部３０の軸方向周りの鞘管１４の回転が確実に防止され、鞘管１４がより安定的に仮固定される。さらに、ボイド孔１０６の縁と基礎当接面３８ａとが当接することで、鞘管１４が容易に位置決めされる。
【００５５】
その後、鞘管１４の周囲の空間を土で埋め戻した後、或いはそのまま、鞘管１４の上開口部３４の周囲を覆うように土間コンクリート１２４を打設して、鞘管１４を埋設固定する。この際、生コンクリートの浮力による鞘管１４の浮きが脚部３６によって防止される。また、埋め戻し用の土または生コンクリートが横開口部３０外周面とボイド孔１０６内周面との間の隙間に侵入（流出）してしまうことが、ストッパ３８によって防止される。
【００５６】
以上の作業により、立上り基礎１０２の屋外側の側面から土間コンクリート１２４の上面までを連通させる貫通路（配管通路）が、鞘管１４およびボイド孔１０６によって形成される。
【００５７】
鞘管１４を埋設固定すると、次に、図７(Ｃ)に示すように、鞘管１４内に内管１２を差し入れる。具体的には、先ず、鞘管１４（貫通路）の外部において、内管１２の受口２４に対して屋内側配管（配管部材）１１０を接着接合し、その後、上開口部３４から鞘管１４内に内管１２を斜め方向に差し込む。そして、内管１２の横管部２２の先端が横開口部３０の基端部３０ａに達したときに、横管部２２の先端を支点として内管１２を鞘管１４内に回し入れる。
【００５８】
続いて、図８(Ｄ)に示すように、内管１２を立上り基礎１０２側に寄せて、内管１２の横管部２２の先端部分（差口２６）を屋外に突出させる。そして、図８(Ｅ)に示すように、貫通路の外部において、ソケット１１４を介して横管部２２の差口２６に対して屋外側配管（配管部材）１１２を接着接合する。
【００５９】
次に、図８(Ｆ)に示すように、所望する屋内側配管１１０の配管位置に合わせて、接続した屋外側配管１１２と共に内管１２を移動させて、横開口部３０の軸方向における内管１２の配置位置を調整する。その後、ボイド孔１０６の屋外側開口縁にシリコンシーラントなどのコーキング１０８を施し、屋外側配管１１２の外周面とボイド孔１０６の内周面との間の隙間を塞ぐ。なお、図示は省略するが、鞘管１４の上開口部３４には、その上端開口を封止する蓋を適宜設けておくとよい。また、内管１２と鞘管１４との間の隙間をスポンジ等で埋めてもよい。
【００６０】
最後に、屋外側配管１１２の周囲を土等で埋め戻すことによって、立上り基礎１０２を貫通する排水管の施工が終了し、図１に示すような基礎貫通配管構造が形成される。
【００６１】
続いて、図９を参照して、上記のように継手１０を用いて施工された排水管を更新する管路更新方法の一例について説明する。
【００６２】
老朽化等により排水管を更新する必要が生じた場合には、先ず、図９(Ａ)に示すように、排水管の屋内側配管１１０を鞘管１４の外部で切断する。なお、図９(Ａ)では、鞘管１４の上開口部３４の端面３４ａ近傍で屋内側配管１１０を切断するようにしているが、この切断位置は、もっと上の方であってもよい。
【００６３】
次に、図９(Ｂ)に示すように、鞘管１４内の排水管を立上り基礎１０２側に寄せる。そして、立上り基礎１０２（ボイド孔１０６）から屋外に突出する排水管を、立上り基礎１０２の屋外側の側面近傍で切断する。この際には、ソケット１１４の上流端よりも立上り基礎１０２側の位置において排水管を切断するようにする。これにより、鞘管１４（貫通路）内に残る排水管の全体長さは、内管１２の全体長さＬ２以下の長さとなる。
【００６４】
続いて、図９(Ｃ)に示すように、鞘管１４内に残る排水管を上開口部３４から抜き取る。上述のように、鞘管１４内に残る排水管の全体長さは、内管１２の全体長さＬ２以下の長さとなっているので、鞘管１４内でそれ以上切断することなく、排水管を上開口部３４からそのまま抜き取ることができる。
【００６５】
その後、図７(Ｂ)〜図８(Ｆ)に示した方法と同様にして、新規の排水管を鞘管１４（貫通路）内に挿通して設置することによって、排水管の更新が完了する。
【００６６】
以上のように、この実施例によれば、ボイド孔１０６を有する立上り基礎１０２を打設した後に鞘管１４を埋設固定するという、従来のべた基礎用の鞘管工法とは全く異なる、立上り基礎１０２を貫通する排水管を施工するのに適した新規な管路施工方法およびそれに用いる継手１０が提供される。
【００６７】
また、鞘管１４を設置する際には、立上り基礎１０２のボイド孔１０６に鞘管１４の横開口部３０を嵌め込むので、鞘管１４の動きが規制されて、鞘管１４を安定的に仮固定できる。したがって、鞘管１４の設置が容易となり、延いては立上り基礎１０２を貫通する排水管の施工が容易となる。
【００６８】
さらに、ボイド孔１０６の縁と基礎当接面３８ａとを当接させることで、鞘管１４を容易に位置決めすることができる。
【００６９】
また、この実施例によれば、継手１０は、内管１２が立上り基礎１０２の厚みよりも大きい軸方向長さを有する横管部２２を備え、鞘管１４の上開口部３４は、その内管１２を抜き差し可能な大きさを有する。このため、排水管を施工する際には、内管１２と屋内側配管１１０および屋外側配管１１２との接続を含む排水管の接続作業を全て、鞘管１４（貫通路）の外部で行うことが可能となる。したがって、排水管の接続作業を容易かつ適切に実行でき、配管時の施工性に優れる。
【００７０】
また、排水管を更新する際には、排水管の切断作業を全て、鞘管１４（貫通路）の外部で行うことが可能であり、鞘管１４内に残る排水管も上開口部３４から容易に抜き取ることができる。したがって、排水管の更新も容易であり、土間コンクリート１２４を破壊する必要もなく、誤って鞘管１４等を傷付けてしまう恐れもない。
【００７１】
さらに、埋設設置した鞘管１４内に内管１２を配置した後でも、横管部２２の軸方向に沿って内管１２を自由に移動させることができる、つまり内管１２の配置位置を調整可能なので、排水管を施工し易い。
【００７２】
さらにまた、内管１２は、汎用の９０°エルボや直管などを利用して製作でき、専用部材としては鞘管１４を製作するだけでよい。したがって、継手１０の製作コストを低減できる。また、鞘管１４の寸法は、立上り基礎１０２の厚みとして最も厚い部類に入る１９５ｍｍを想定して設定しているので、それよりも厚みの小さい立上り基礎１０２に対しても鞘管１４を使用でき、部材コストをより低減できる。
【００７３】
なお、上述の実施例では、汎用の９０°エルボに汎用の直管を接着接合することによって内管１２を形成したが、これに限定されない。たとえば、内管１２は、部材を接続するのではなく予め一体成形されるものであってもよいし、汎用の９０°エルボに汎用の直管をゴム輪接合して形成されるものであってもよい。ただし、専用部品を少なくしてコストを低減するという観点および止水性の観点からは、汎用部材を接着接合して内管１２を形成することが好ましい。
【００７４】
また、上述の実施例では、内管１２の上流側端部を受口２４とし、下流側端部を差口２６としたが、内管１２の両端部は、受口および差口のいずれでも構わない。また、内管１２の両端部は、接着接合されるものではなく、ゴム輪接合されるものであってもよい。
【００７５】
さらに、上述の実施例では、内管１２のエルボ部２０を９０°の角度で湾曲させるようにしたが、エルボ部２０は、たとえば４５°や６０°の角度で湾曲するものであってもよい。
【００７６】
さらにまた、上述の実施例では、鞘管１４内に内管１２を差し入れる際、予め内管１２の受口２４に対して屋内側配管１１０の配管部材（縦管）を接続しておくようにしたが、これを限定されない。たとえば、鞘管１４内に内管１２を差し入れ、内管１２の下流側端部の差口２６に屋外側配管１１２を接続した後、内管１２の受口２４に対して屋内側配管１１０の配管部材を接続してもよい。この場合には、鞘管１４に対するエルボ部２０の上流側端部（受口２４）の配置位置によっては、鞘管１４内での接続となる場合があるが、鞘管１４の上開口部３４の開口端近傍での接続となるため、貫通路の中央部における接続と比較して、容易かつ適切に実行できる。
【００７７】
また、上述の実施例では、内管１２の受口２４に屋内側配管１１０として縦管を接続しているが、これに限定されない。内管１２の受口２４には、たとえば、曲管が接続されてもよいし、直接または接続管を介して、合流桝や旋回桝などの桝が接続されてもよい。
【００７８】
さらに、上述の実施例では、鞘管１４の上開口部３４を小判形状（角丸長方形状）に開口させるようにしたが、上開口部３４は、馬蹄形、楕円形および円形に開口させてもよい。ただし、上開口部３４を馬蹄形などに形成して上開口部３４の側壁に角部を設けると、角部に応力が集中して破損の原因となるため、上開口部３４には角部は設けないことが好ましい。
【００７９】
さらに、上述の実施例では、内管１２を分割等することなくそのまま抜き差し可能な大きさに鞘管１４の上開口部３４の大きさを設定したが、これに限定されない。ただし、上開口部３４の大きさを小さくする場合には、排水管の施工時に鞘管１４内で排水管（内管１２）を接続したり、排水管の更新時に鞘管１４内で排水管を切断したりする必要が生じる。
【００８０】
また、上述の実施例では、鞘管１４の湾曲部３２を比較的緩やかに上向きに湾曲させているが、図１０に示すように、湾曲部３２は、横開口部３０の基端部から略垂直方向に立ち上がるように湾曲させてもよい。これによって、上開口部３４を横開口部３０側、つまり立上り基礎１０４のより近傍に寄せて配置することが可能となるので、立上り基礎１０４の屋内側の壁面に沿わせて屋内側配管１１０を配管し易くなる。
【００８１】
さらに、上述の実施例では、横開口部３０の周方向全長に亘って延びるようにストッパ３８を形成したが、ストッパ３８は、必ずしも周方向全長に形成される必要はなく、周方向に間欠的に形成されていてもよい。言い換えると、ストッパ３８の基礎当接面３８ａは、必ずしも周方向全長に亘ってボイド孔１０６の縁と当接する必要はない。
【００８２】
さらに、上述の実施例では、立上り基礎１０２に断面円形のボイド孔１０６を形成し、このボイド孔１０６に鞘管１４の横開口部３０を嵌め込むようにしたが、ボイド孔１０６の断面形状は特に限定されない。ボイド孔１０６は、たとえば、断面矩形や断面馬蹄形（アーチ形）の貫通孔であってもよい。この場合には、ボイド孔１０６の形状に合わせて横開口部３０の外形が変更される。
【００８３】
たとえばボイド孔１０６を断面馬蹄形に形成する場合には、図１１に示すように、鞘管１４の横開口部３０の挿入部４０は、ボイド孔１０６の断面形状に合わせて、馬蹄形の外形を有するように形成される。ボイド孔１０６に横開口部３０の挿入部４０を嵌め込むと、挿入部４０の下面が平面状に形成されていることから、横開口部３０の軸方向周りの鞘管１４の回転が確実に防止され、鞘管１４がより安定的に仮固定される。なお、この場合には、ストッパ３８の基礎当接面３８ａは、その略上半分においてボイド孔１０６の縁と当接する。
【００８４】
また、ボイド孔１０６は、たとえば、鞘管１４の挿入部４０が挿入される屋内側部分のみを断面馬蹄形とし、それ以外の屋外側部分は断面円形とすることもできる。この場合には、鞘管１４のストッパ３８は必ずしも設ける必要はなく、鞘管１４の挿入部４０の端面と、ボイド孔１０６の馬蹄形部分の奥側の縁とを当接させることによって、鞘管１４を位置決めするとよい。つまり、鞘管１４の挿入部４０の端面を、横開口部３０の周方向全長に亘る基礎当接面（ストッパ）として機能させることもできる。
【００８５】
なお、上で挙げた寸法などの具体的数値は、いずれも単なる一例であり、必要に応じて適宜変更可能である。
【符号の説明】
【００８６】
１０  …基礎貫通用継手
１２  …エルボ
１４  …鞘管
２０  …エルボ部
２２  …横管部
３０  …横開口部
３２  …湾曲部
３４  …上開口部
３６  …脚部
３８  …ストッパ
３８ａ  …基礎当接面
１００  …布基礎
１０２  …立上り基礎
１０４  …フーチング
１０６  …ボイド孔
１１０  …屋内側配管
１１２  …屋外側配管
１２４  …土間コンクリート
【図１】
0006430763.tif 000002
【図２】
0006430763.tif 000003
【図３】
0006430763.tif 000004
【図４】
0006430763.tif 000005
【図５】
0006430763.tif 000006
【図６】
0006430763.tif 000007
【図７】
0006430763.tif 000008
【図８】
0006430763.tif 000009
【図９】
0006430763.tif 000010
【図１０】
0006430763.tif 000011
【図１１】
0006430763.tif 000012